(57)【要約】本発明は、全体的にまたは部分的に毛髪に様々なウェーブまたはカールを作成するため、毛髪に加圧しかつ加熱するヘアアイロンに関し、特に、複数の加熱パッドが下側カバーにおいて傾けられて提供され、同時に、毛髪が加熱パッドおよび様々な形状の回転ローラ間で接触し、したがって様々なヘアスタイルより効果的に作るように、回転ローラが、例えば円、四角形、六角形、八角形などの様々な形状を有する上側カバーに取り付けられ/取り外される、または、固定されるような、様々な形状のローラを有するヘアアイロンに関する。したがって、本発明の様々な形状のローラを有するヘアアイロンは、回転ローラの形状が多様化されているので、熟練したヘアアーティストだけでなく個人も様々なカールで様々なヘアスタイルを表現することが可能であり、ユーザの好みによるヘアスタイルの表現を容易にする効果を提供し、毛髪がダメージを受けるのを妨げ、および、ユーザの好みにより弱い力でも正確にヘアスタイルを表現し、ユーザの要求を満たすことが可能であるという、様々な効果を提供する。【選択図】図２
2009539417.tif 000002
【特許請求の範囲】
【請求項１】
上側カバー1および下側カバー2を含む様々な形状のローラを有するヘアアイロンであって、該上側カバー1はヒンジ部分3によって回転し、熱生成部分は該上側および下側カバー1および2で形成される熱を生成するヒータを含むヘアアイロンにおいて、
前部が湾曲している状態においてそれとともに一体的に形成される連結突起10、そこにおいて定められる取付けレール11を有する保持部12、該保持部12の後ろに配置される上部カバー13、および、その後ろにおいて提供される押圧部分14を含む上側カバー1；
前記保持部12の前記連結突起10により連結されるローラ取付け手段4；
および、その内側に形成された保持部20、傾けられる該保持部20の両側に提供される加熱パッド21、セラミック・ヒータ22、ヒータ保護プレート23、クッション・スプリング24、および、その後ろに配置される底部カバー25を含む前記上側カバー1と面するように該上側カバー1の下部に定められる下側カバー2を含むヘアアイロン。
【請求項２】
様々な形状のローラを有するヘアアイロンにおいて、前記ローラ取付け手段4が、
前記上端部の一方の側に形成される連結部分400、該上端部の他方の側に形成される第1のフック部分401、および、その下端の一方の側に形成された第2のフック部分402を含むローラ・ストッパ40；
前記上部に形成され、それを通じて前記ローラ・ストッパ40が挿入されるガイド部分410、該ガイド部分410の中央上端部に提供される第1のフック孔412、該第1のフック孔412の上端部に形成され、それにより該第1のフック部分401が引掛けられるフック突起411、下端に形成され、それにより該第2のフック部分402が引掛けられる第2のフック孔413、その中央部分に配置され、それに対してストッパ・スプリング414が連結される連結溝416、および、その中央部分において提供されたローラ挿入溝415を含む第1のローラ取付け部分41；
前記ローラ挿入溝415に、回転可能に連結される回転ローラ50；
その一方の側面に形成される連結プレート600、該連結プレート600の両側に提供されるガイド突起601、その下端に提供される取付け突起602、孔604を有する水平な屈曲表面603、および、前記孔604の下部に形成された取付け突起605を含む取付け部分カバー60;
その上端の一方の側に形成され、それに対して前記連結プレート600が連結される切断部分700、該切断部分700の切断表面701に配置されるガイドレール702、その上端部の他方の側面に提供される取付け溝703を有する取付け部材704、および、該取付け部材704の両側に形成されたスリット705を含む前記回転ローラ50の反対側に連結される第2のローラ取付け部分70；
前記スリット705に連結されるローラ・ターミナル80；
前記ローラ・ターミナル80に連結される本体ターミナル90；
および、前記本体ターミナル90に連結されるターミナル・スプリング100を含む請求項１に記載のヘアアイロン。
【請求項３】
様々な形状のローラを有するヘアアイロンにおいて、前記回転ローラ50の形状が円、四角形、五角形、六角形、八角形などを含む請求項２に記載のヘアアイロン。
【請求項４】
様々な形状のローラを有するヘアアイロンにおいて、前記ローラ取付け手段4が前記上側カバー1と一体的に形成される請求項１に記載のヘアアイロン。
【請求項５】
様々な形状のローラを有するヘアアイロンにおいて、前記加熱パッド21が前記下側カバー2の内側の前で提供される前記保持部20の下部に形成され、前記セラミック・ヒータ22、前記ヒータ保護プレート23および前記クッション・スプリング24は、該加熱パッド21の下部に連続して配置される請求項１に記載のヘアアイロン。
【請求項６】
様々な形状のローラを有するヘアアイロンにおいて、ヒータ500が前記回転ローラ50に含まれる請求項２に記載のヘアアイロン。
【発明の詳細な説明】
【技術分野】
【０００１】
本発明は、全体的にまたは部分的に毛髪に様々なウェーブまたはカールを作成するため、毛髪に加圧しかつ加熱するヘアアイロンに関し、特に、複数の加熱パッドが下側カバーにおいて傾けられて提供され、同時に、毛髪が加熱パッドおよび様々な形状の回転ローラ間で接触し、したがって様々なヘアスタイルより効果的に作るように、回転ローラが、例えば円、四角形、六角形、八角形などの様々な形状を有する上側カバーに取り付けられ/取り外される、または、固定されるような、様々な形状のローラを有するヘアアイロンに関する。
【背景技術】
【０００２】
一般に、ヘアスタイルは女性の外観において重要な部分であり、いつでも服装および場所に合わせてヘアスタイルを変えることによって美学を十分に示す手段として利用される。美的関心を追求するためのヘアスタイルの重要性は大きくなってきて、個性を表す能力は作成されたヘアスタイルによって判断される。したがって、女性がヘアスタイルで美的感受性を表そうと努力するというのは周知の事実である。
【０００３】
美容ツールのうちの1つであるヘアアイロンは上下の部分に分けられ、そこで、加熱器手段、熱生成手段およびカール・ツールを含む半円形の断面図を有するカール部分がそれぞれ提供される。上下のカール部分は、その一方の側面のヒンジを中心において開けられる。電気によって熱を生成する加熱パッドは、各々の上下のカール部分に載置される。さらに、様々な曲がった形状により毛髪が上下のカール部分を通過する一方、熱によって様々なヘアスタイルを作成するように、それぞれの加熱パッドの表面層は様々な曲がった形状を有する。そのようなヘアアイロンにより、女性が上記の通りに個性および美的関心を表すことが可能である。
【０００４】
しかしながら、従来のそのようなヘアアイロンは、大きい保管容積を必要とし、使用されない場合に、その上下のカール部分がそこに提供されるバネの弾性力によってヒンジを中心して開かれているので、保管空間を効率的に利用しないという問題を有する。
【０００５】
そのような不都合を解決するため、様々な種類のヘアアイロンが作成され使われてきた。それらのヘアアイロンは、2005年3月14日に出願され、「固定装置を有するヘアツール」と名称を与えられた韓国特許出願番号第2005-0020881号において提案された。上記のヘアアイロンは、使用していない場合上下のカバーを閉じたままにして、したがって保管を容易にし、製品の運搬の間、容積を最小化する意図を有して作成された。
【０００６】
しかしながら、上記の関連技術を含む従来のヘアアイロンは、毛髪が様々な曲がった形状により上下のカール部分を通過して生成される熱によって様々なヘアスタイルを作成するため、上下のカール部分に提供される加熱パッドの表面層上に様々な曲がった形状を有するように構成される。ここで、表面層に提供される様々な曲がった形状のみでは、実際には様々なヘアスタイルを作成するのは困難である。
【０００７】
さらに、それは単純なヘアスタイルを表すことが可能であるけれども、そのように作成されたヘアスタイルが連続的に維持されないという点でまだ問題を有する。
【０００８】
さらに、従来のヘアアイロンの加熱パッドが取り付けられないおよび取り外されないので、それは、上下のカール部分のうちの1つが損なわれる場合、ヘアアイロン全体がもはや使われないというさらなる問題を有する。
【特許文献１】韓国特許出願番号第2005-0020881号
【発明の開示】
【発明が解決しようとする課題】
【０００９】
したがって、本発明は上述した問題を解決するために作成され、本発明の目的は、毛髪が加熱パッドおよび様々な形状の回転ローラの間で接触し、したがってより効果的に様々なヘアスタイルを作成するように、複数の加熱パッドが下側カバーにおいて傾けられて提供され、同時に、回転ローラが円、正方形、六角形、八角形などの様々な形状を有する上側カバーに着脱可能に含まれる、様々な形状のローラを有するヘアアイロンを提供することである。
【００１０】
さらに、本発明の別の目的は、回転ローラが所望のヘアスタイルを表現するためにユーザの好みに従って交換される様々な形状のローラを有するヘアアイロンを提供することである。
【００１１】
したがって、本発明の別の目的は、様々な形状のローラを有するヘアアイロンを提供することであり、それにより、熟練したヘアアーティストが使うだけでなく、個人が様々なカールで様々なヘアスタイルを表現することができる。
【課題を解決するための手段】
【００１２】
本発明の目的を達成するため、上側カバー1および下側カバー2を含む様々な形状のローラを有するヘアアイロンが提供され、そこで、上側カバー1はヒンジ部分3によって回転し、熱生成部分は上側および下側カバー1および2において形成される熱を生成するヒータを含む。そのヘアアイロンは、以下の構成を含む：
【００１３】
その前部が湾曲している状態でそれと一体的に形成される連結突起10を含む上側カバー1、そこにおいて定められる取付けレール11を有する保持部12、保持部12の後ろに配置される上部カバー13、および、その後ろに提供される押圧部分14；
【００１４】
保持部12の連結突起10によって連結されるローラ取付け手段4 ；
【００１５】
上側カバー1と面するように上側カバー1の下部に定められ、その内側に形成される保持部20を含む下側カバー2、傾けられる保持部20の両側に提供される加熱パッド21、セラミック・ヒータ22、ヒータ保護プレート23、クッション・スプリング24、およびその後ろに配置される底部カバー25。
【発明の効果】
【００１６】
本発明の様々な形状のローラを有するヘアアイロンは、熟練したヘアアーティストに使用されるだけでなく、回転ローラの形状が多様化されているので個人が様々なカールで様々なヘアスタイルを表現するのを可能にし、回転ローラが取り付けられるおよび取り外すことができるので、ユーザの好みに従ってヘアスタイルの表現を容易にする効果を提供し、使用中、ヘアアイロンが過剰な力で損なわれるのを防ぎ、弱い力でも、ユーザの好みに従って正確なヘアスタイルを表現し、ユーザの要求を満たすことが可能であるという点で様々な効果を提供する。
【発明を実施するための最良の形態】
【００１７】
本発明は、上側カバー1および下側カバー2を含む様々な形状のローラを有し、該上側カバー1がヒンジ部分3によって回転し、該上側および下側カバー1および2において形成される熱を生成する熱生成部分がヒータを含むヘアアイロンを提供する。このヘアアイロンは、以下の構成を含む：
【００１８】
その前部が湾曲している状態で、一体的にそれとともに形成される連結突起10を含む上側カバー1、そこにおいて定められる取付けレール11を有する保持部12、保持部12の後ろに配置される上部カバー13、および、その後ろにおいて提供される押圧部14；
【００１９】
保持部12の連結突起10によって連結されるローラ取付け手段4;
【００２０】
上側カバー1に面する上側カバー1の下部に定められ、その内側に形成された保持部20を含む下側カバー2、傾けられる保持部20の両側に提供される加熱パッド21、セラミック・ヒータ22、ヒータ保護プレート23、クッション・スプリング24、および、その後ろに配置される底部カバー25；
【００２１】
ここで、ローラ取付け手段4は以下の構成を含む：
【００２２】
その上部の端部の一方に形成される連結部分400を含むローラ・ストッパ40、その上部の端部の他方に形成される第1のフック部分401、および、その下端の一方に形成される第2のフック部分402；
【００２３】
その上部に形成されるガイド部分410を含み、それを通じてローラ・ストッパ40が挿入される第1のローラ取付け部分41、ガイド部分410の中央上端部に提供される第1のフック孔412、第1のフック孔412の上端部の上に形成され、それにより第1のフック部分401が引掛けられるフック突起411、その下端の上に形成され、それにより第2のフック部分402が引掛けられる第2のフック孔413、その中央部分に配置され、ストッパ・スプリング414がそれに連結される連結溝416、および、その中央部分において提供されるローラ挿入溝415；
【００２４】
回転可能にローラ挿入溝415に連結される回転ローラ50；
【００２５】
その一方の側面の上に形成される連結プレート600を含む取付け部分カバー60、連結プレート600の両側に提供されるガイド突起601、その下端に提供される取付け突起602、孔604を有する水平な屈曲表面603、および、孔604の下部に形成された取付け突起605；
【００２６】
回転ローラ50の反対側に連結され、かつ、その上部の一方の端部に形成され、連結プレート600が連結される切断部分700を含む第2のローラ取付け部分70、切断部分700の切断表面701に配置されるガイドレール702、その上部の他方の端部に提供される取付け溝703を有する取付け部材704、および、取付け部材704の両側に形成されたスリット705；
【００２７】
スリット705に連結されるローラ・ターミナル80；
【００２８】
ローラ・ターミナル80に連結される本体ターミナル90；
【００２９】
本体ターミナル90に連結されるターミナル・スプリング100。
【００３０】
以下に、本発明は、好ましい実施態様が示される添付の図面に関してより完全に記載される。本発明は、しかしながら異なる形状において具体化されてもよく、ここで説明される実施態様に制限されて解釈されるべきではない。むしろ、これらの実施態様は、この開示が完全でありかつ完結するように提供され、当業者に完全に本発明の範囲を伝える。
【００３１】
図1は、本発明の好ましい実施例による様々な形状のローラを有するヘアアイロンの展開斜視図である；  図2は、本発明の様々な形状のローラを有するヘアアイロンの断面図である;  図3は、本発明の様々な形状のローラを有するヘアアイロンの主な要素の拡張した展開斜視図である；  図4は、本発明による様々な形状のローラを有するヘアアイロンの主な要素の連結状態を示す断面図である；  図5は、本発明による様々な形状のローラを有するヘアアイロンに連結される円形の回転ローラを示す断面図である；  図6は、本発明により様々な形状のローラを有するヘアアイロンに連結される四角形の回転ローラを示す断面図である；  図7は、本発明により様々な形状のローラを有するヘアアイロンに連結される五角形の回転ローラを示す断面図である；  図8は、本発明により様々な形状のローラを有するヘアアイロンに連結される六角形の回転ローラを示す断面図である；  図9は、本発明により様々な形状のローラを有するヘアアイロンに連結される八角形の回転ローラを示す断面図である；  図10は、本発明の他の実施態様による様々な形状のローラを有するヘアアイロンの下側カバーの保持部の下部に提供される加熱パッドを示す断面図である；  図11は、本発明による様々な形状のローラを有するヘアアイロンのローラ・ストッパおよび第1のローラ取付け部分が互いに一体的に形成される状態を示す断面図である；および  図12は、本発明による様々な形状のローラを有するヘアアイロンの使用状態を示す断面図である。
【００３２】
本発明のヘアアイロンは、上側カバー1および下側カバー2を備える。上側カバー1はヒンジ部分3によって動かせるように形成され、そこで、連結突起10はその前部が湾曲している状態で一体的にそれとともに形成され、取付けレール11を有する保持部12はそこで定められ、上部カバー13は保持部12の後ろに配置され、押圧部分14はその後ろに提供される。
【００３３】
連結突起10によって連結されるローラ取付け手段4は、保持部12において提供される。
【００３４】
ローラ取付け手段4は、その上端部の一方の側に形成される連結部分400、その上端部の他方の側に形成される第1のフック部分401、および、その下端の一方の側に形成される第2のフック部分402を含むローラ・ストッパ40、その上部に形成されるガイド部分410を含み、それを通じてローラ・ストッパ40が挿入される第1のローラ取付け部分41、ガイド部分410の中央上端部に提供される第1のフック孔412、第1のフック孔412の上端部に形成され、それにより第1のフック部分401が引掛けられるフック突起411、その下端上に形成され、それにより第2のフック部分402が引掛けられる第2のフック孔413、その中央部分に配置され、それに対しストッパ・スプリング414が連結される連結溝416、および、その中央部分において提供され、それに対し回転ローラ50が回転可能に連結されるローラ挿入溝415を含む。
【００３５】
第2のローラ取付け部分70は、回転ローラ50の反対側に提供される。
【００３６】
第2のローラ取付け部分70は、その上端部の一方の側に形成される切断部分700、切断部分700の切断表面701に配置されるガイドレール702、その上端部の他方の側面に提供される取付け溝703を有する取付け部材704、および、取付け部材704の両側に形成されたスリット705を含む。
【００３７】
取付け部分カバー60は、第2のローラ取付け部分70に連結される。取付け部分カバー60は、その一方の側面に形成される連結プレート600、連結プレート600の両側に提供されるガイド突起601、その下端に提供される取付け突起602、孔604を有する水平な屈曲表面603、および、孔604の下部に形成された取付け突起605を含む。さらに、ローラ・ターミナル80はスリット705に提供され、本体ターミナル90はローラ・ターミナル80に連結され、ターミナル・スプリング100は本体ターミナル90に連結される。
【００３８】
図11にて図示するように、好ましくは、ストッパ・スプリング414をローラ挿入溝415の内部に固定的に連結し、そして、連結溝416を必要とせずにその後ろに回転ローラ50を挿入するように、互いに一体的にローラ・ストッパ40および第1のローラ取付け部分41を形成することが可能である。
【００３９】
次に、下側カバー2は、上側カバー1に面する上側カバー1の下部に定められる。下側カバー2は、その内部に形成された保持部20、傾けられる保持部20の両側に提供される加熱パッド21、セラミック・ヒータ22、ヒータ保護プレート23、クッション・スプリング24、および、その後ろに配置される底部カバー25を含む。
【００４０】
好ましくは、回転ローラ50は、ユーザがユーザの好みにより回転ローラ50の形状を自由に交換することができるように、例えば円、四角形、五角形、六角形、八角形などの様々な形状で形成されてもよい、または、ローラ取付け手段4は、回転ローラ50を交換する必要性を除くために上側カバー1と一体的に形成されてもよい。
【００４１】
さらに、加熱パッド21が下側カバー2の内側に提供される保持部20の下部に形成され、セラミック・ヒータ22、ヒータ保護プレート23およびクッション・スプリング24が加熱パッド21の下部で連続して配置されることは可能である。
【００４２】
もちろん、ヒータ500は回転ローラ50に含まれてもよい。
【００４３】
参照番号6はヒータ取付けプレートを示し、符号7はローラ軸を示し、符号Hは毛髪を示す。
【００４４】
以下に、本発明の操作が説明される。
【００４５】
まず、上部カバー13は上側カバー1において配置され、底部カバー25は下側カバー2において受容される。上部カバー13、および、下側カバー2の上部部分に配置される上側カバー1は、移動されるヒンジ部分3に連結される。上側カバー1および上部カバー13は、係止ノブNの動作により、ヒンジ部分3によって上下に移動されない。
【００４６】
上記の回転手段は周知の技術であり、本発明によると、ローラ・ストッパ40が、第1のローラ取付け部分41の中央上部の両側に形成されるガイド部分410の間で挿入される場合、ローラ・ストッパ40の上端に形成される第1のフック部分401は第1のフック孔412の上端部に形成されるフック突起411に連結され、第2の部分402は第2のフック孔413に連結され、したがって、ローラ・ストッパ40を第1のローラ取付け部分41に連結する。
【００４７】
続いて、回転ローラ50の一方の側面は、中央部分において提供され、それに対してストッパ・スプリング414が連結されるローラ挿入溝415に回転可能に連結される。
【００４８】
それから、取付け部分カバー60の連結プレート600は、第2のローラ取付け部分70に連結される。すなわち、連結プレート600の両側に提供されるガイド突起601は、第2のローラ取付け部分70の前で形成される切断表面701内部で配置されるガイドレール702に沿って摺動可能に連結され、それから、取付け部分カバー60に連結される第2のローラ取付け部分70の切断部分700は回転ローラ50の他の側面に連結される。
【００４９】
次に、取付け部分カバー60の取付け突起605は、第2のローラ取付け部分70の取付け部材704の下端に提供される取付け溝703に連結される。ローラ・ターミナル80は取付け部材704の外周上に形成されるスリット705に連結され、本体ターミナル90はローラ・ターミナル80に連結され、ターミナル・スプリング10は、本体ターミナル90で後ろに連結され、したがって、ローラ取付け手段4を完成させる。
【００５０】
それから、ローラ・ストッパ40の上端に形成される連結部分400が上側カバー1の連結突起10に連結される場合、ローラ取付け手段4は上側カバー1に連結される。
【００５１】
上記の状態のヘアアイロンに電力を供給した後、固定ノブNは解除され、押圧部分14は上側カバー1を上方に移動するために押圧される。それから、回転ローラ50および下側カバー2の保持部20において傾けられて提供される加熱プレート21の間にユーザの毛髪を挿入した後、上側カバー1は、下側カバー2と接触するように移動される。この状態で、ユーザの毛髪が適切な圧力を使用して加圧される場合、回転ローラ50は、例えば円、四角形、五角形、六角形、八角形などの様々な形状の回転ローラ50によって様々なヘアスタイルを作成するために回転する。
【００５２】
ユーザが回転ローラ50を交換したい場合、ユーザはストッパ・スプリング414に加圧するためにローラ・ストッパ40の前部を押圧することができ、それによって、ローラ・ストッパ40の上に形成される連結部分400は上側カバー1の前で湾曲された連結突起10から切り離され、したがって、ローラ取付け手段4は、上側カバー1から切り離される。
【００５３】
ローラ取付け手段4をそれに対して連結するため、ユーザが使用したい回転ローラ50を第1のローラ取付け部分41および第2のローラ取付け部分70に挿入した後、ユーザは、ストッパ・スプリング414に加圧するためにローラ・ストッパ40を押圧し、上側カバー1の連結突起10およびローラ・ストッパ40の連結部分400が連結部分400およびローラ・ストッパ40を互いに連結するために接する位置で押圧力を解放し、したがって、ローラ取付け手段4を上側カバー1に確実に連結することができる。
【００５４】
もちろん、回転ローラ50を交換させないように、ローラ・ストッパ40、第1のローラ取付け部分41、取付け部分カバー60、第2のローラ取付け部分70、本体ターミナル90などが上側カバー1と一体的に形成されることは可能である。
【００５５】
一方、下側カバー2の連結工程において、加熱パッド21はその内側の前で形成される保持部20において傾けられて提供され、セラミック・ヒータ22、ヒータ保護プレート23およびクッション・スプリング24は、加熱パッド21の下部に連続して一体的に配置される。
【００５６】
好ましくは、回転ローラ50は、ユーザがユーザの好みにより回転ローラ50の形状を自由に交換するように、例えば円、四角形、五角形、六角形、八角形などのような様々な形状において形成されてもよい、または、ローラ取付け手段4は、回転ローラ50を交換する必要性を除くために上側カバー1と一体的に形成されてもよい。
【００５７】
さらに、加熱パッド21が下側カバー2の内側の前で提供される保持部20の下部で形成され、セラミック・ヒータ22、ヒータ保護プレート23およびクッション・スプリング24が加熱パッド21の下部で連続して配置されることは可能である。
【００５８】
もちろん、ヒータ500は回転ローラ50に含まれてもよい。
【産業上の利用可能性】
【００５９】
したがって、本発明の様々な形状のローラを有するヘアアイロンは、回転ローラの形状が多様化されているので、熟練したヘアアーティストだけでなく個人も様々なカールで様々なヘアスタイルを表現することが可能であり、ユーザの好みによるヘアスタイルの表現を容易にする効果を提供し、毛髪がダメージを受けるのを妨げ、および、ユーザの好みにより弱い力でも正確にヘアスタイルを表現し、ユーザの要求を満たすことが可能であるという、様々な効果を提供する。
【００６０】
本発明は、その好ましい実施態様に関して詳述されてきた。しかしながら、これらの実施態様において、本発明の原理および意図から逸脱することなく変更が作成されてもよく、その範囲は添付の請求の範囲およびそれらの同等物において定められると当業者によって認識される。
【図面の簡単な説明】
【００６１】
【図１】は、本発明の好ましい実施例による様々な形状のローラを有するヘアアイロンの展開斜視図である；
【００６２】
【図２】は、本発明の様々な形状のローラを有するヘアアイロンの断面図である;
【００６３】
【図３】は、本発明の様々な形状のローラを有するヘアアイロンの主な要素の拡張した展開斜視図である；
【００６４】
【図４】は、本発明による様々な形状のローラを有するヘアアイロンの主な要素の連結状態を示す断面図である；
【００６５】
【図５】は、本発明による様々な形状のローラを有するヘアアイロンに連結される円形の回転ローラを示す断面図である；
【００６６】
【図６】は、本発明により様々な形状のローラを有するヘアアイロンに連結される四角形の回転ローラを示す断面図である；
【００６７】
【図７】は、本発明により様々な形状のローラを有するヘアアイロンに連結される五角形の回転ローラを示す断面図である；
【００６８】
【図８】は、本発明により様々な形状のローラを有するヘアアイロンに連結される六角形の回転ローラを示す断面図である；
【００６９】
【図９】は、本発明により様々な形状のローラを有するヘアアイロンに連結される八角形の回転ローラを示す断面図である；
【００７０】
【図１０】は、本発明の他の実施態様による様々な形状のローラを有するヘアアイロンの下側カバーの保持部の下部に提供される加熱パッドを示す断面図である；
【００７１】
【図１１】は、本発明による様々な形状のローラを有するヘアアイロンのローラ・ストッパおよび第1のローラ取付け部分が互いに一体的に形成される状態を示す断面図である；
【００７２】
【図１２】は、本発明による様々な形状のローラを有するヘアアイロンの使用状態を示す断面図である。
【符号の説明】
【００７３】
1：上側カバー  2：下側カバー
【００７４】
3：ヒンジ部分  4：ローラ取付け手段
【００７５】
10：連結突起  11：取付けレール
【００７６】
12：保持部  13：上部カバー
【００７７】
14：押圧部  20：保持部
【００７８】
21：加熱パッド  22：セラミック・ヒータ
【００７９】
23：ヒータ保護プレート  24：クッション・スプリング
【００８０】
25：底部カバー  40：ローラ・ストッパ
【００８１】
41：第1のローラ取付け部  50：回転ローラ
【００８２】
60：取付け部カバー  70：第2のローラ取付け部
【００８３】
80：ローラ・ターミナル  90：本体ターミナル
【００８４】
100：ターミナル・スプリング  400：連結部分
【００８５】
401：第1のフック部分  402：第2のフック部分
【００８６】
410：ガイド部分  411：フック突起
【００８７】
412：第1のフック孔  413：第2のフック孔
【００８８】
414：ストッパ・スプリング  415：ローラ挿入溝
【００８９】
416：連結溝  500：ヒータ
【００９０】
600：接続プレート  601：ガイド突起
【００９１】
602：取付け突起  603：水平な屈曲表面
【００９２】
604：孔  605：取付け突起
【００９３】
700：切断部分  701：切断表面
【００９４】
702：ガイドレール  703：取付け溝
【００９５】
704：取付け部材  705：スリット
【００９６】
Ｎ：係止ノブ
【図１】
2009539417.tif 000003
【図２】
2009539417.tif 000004
【図３】
2009539417.tif 000005
【図４】
2009539417.tif 000006
【図５】
2009539417.tif 000007
【図６】
2009539417.tif 000008
【図７】
2009539417.tif 000009
【図８】
2009539417.tif 000010
【図９】
2009539417.tif 000011
【図１０】
2009539417.tif 000012
【図１１】
2009539417.tif 000013
【図１２】
2009539417.tif 000014
【国際調査報告】
2009539417.tif 000015
2009539417.tif 000016